(57)【要約】【課題】複数社が管轄する複数営業エリアを利用可能なＩＣカードの利用に伴う各社相互精算処理の負担軽減が可能なＩＣカード処理装置を提供すること。【解決手段】複数社が管轄する複数営業エリアを利用可能なＩＣカードに対して、所定の金額情報をチャージするＩＣカード処理装置（１）であって、前記ＩＣカードからのデータの読み取り、及び前記ＩＣカードに対するデータの書き込みを行なう読み書き手段（１１２）と、前記読み書き手段により前記ＩＣカードに対して所定の金額情報をチャージするとき、営業エリア毎に所定の配分で金額情報をチャージするチャージ手段（１１２ａ）とを備えている。【選択図】    図５
2004334309.tif 000002
【特許請求の範囲】
【請求項１】
複数社が管轄する複数営業エリアを利用可能なＩＣカードに対して、所定の金額情報をチャージするＩＣカード処理装置であって、
前記ＩＣカードからのデータの読み取り、及び前記ＩＣカードに対するデータの書き込みを行なう読み書き手段と、
前記読み書き手段により前記ＩＣカードに対して所定の金額情報をチャージするとき、営業エリア毎に所定の配分で金額情報をチャージするチャージ手段と、
を備えたことを特徴とするＩＣカード処理装置。
【請求項２】
複数社が管轄する複数営業エリアを利用可能なＩＣカードに対して、所定の金額情報をチャージするＩＣカード処理装置であって、
前記ＩＣカードからのデータの読み取り、及び前記ＩＣカードに対するデータの書き込みを行なう読み書き手段と、
前記読み書き手段により前記ＩＣカードに対して所定の金額情報をチャージするとき、営業エリア毎に均等割りした配分で金額情報をチャージするチャージ手段と、
を備えたことを特徴とするＩＣカード処理装置。
【請求項３】
複数社が管轄する複数営業エリアを利用可能なＩＣカードに対して、所定の金額情報をチャージするＩＣカード処理装置であって、
前記ＩＣカードからのデータの読み取り、及び前記ＩＣカードに対するデータの書き込みを行なう読み書き手段と、
前記読み書き手段により前記ＩＣカードに対して所定の金額情報をチャージするとき、当該ＩＣカード処理装置の設置場所を含む営業エリアに対して優先的な配分で金額情報をチャージするチャージ手段と、
を備えたことを特徴とするＩＣカード処理装置。
【請求項４】
複数社が管轄する複数営業エリアを利用可能なＩＣカードに対して、所定の金額情報をチャージするＩＣカード処理装置であって、
前記ＩＣカードからのデータの読み取り、及び前記ＩＣカードに対するデータの書き込みを行なう読み書き手段と、
前記読み書き手段により前記ＩＣカードに対して所定の金額情報をチャージするとき、前記読み書き手段により前記ＩＣカードから定期乗車区間に関する情報を読み取り、この定期乗車区間が含まれる営業エリアに対して優先的な配分で金額情報をチャージするチャージ手段と、
を備えたことを特徴とするＩＣカード処理装置。
【請求項５】
複数社が管轄する複数営業エリアを利用可能なＩＣカードに対して、所定の金額情報をチャージするＩＣカード処理装置であって、
前記ＩＣカードからのデータの読み取り、及び前記ＩＣカードに対するデータの書き込みを行なう読み書き手段と、
前記読み書き手段により前記ＩＣカードに対して所定の金額情報をチャージするとき、前記読み書き手段により前記ＩＣカードから利用履歴情報を読み取り、この利用履歴情報に基づき各営業エリアに対してチャージする金額情報の配分を決定し、各営業エリアに対して決定された配分の金額情報をチャージするチャージ手段と、
を備えたことを特徴とするＩＣカード処理装置。
【請求項６】
複数社が管轄する複数営業エリアを利用可能なＩＣカードに対して、所定の金額情報をチャージするＩＣカード処理装置であって、
前記ＩＣカードからのデータの読み取り、及び前記ＩＣカードに対するデータの書き込みを行なう読み書き手段と、
前記読み書き手段により前記ＩＣカードに対して所定の金額情報をチャージするとき、前記読み書き手段により前記ＩＣカードから読み取られる利用履歴情報から判明する所定期間内における利用頻度が所定回数以上の実質的に利用されている営業エリア毎に所定の配分で金額情報をチャージするとともに、所定期間内における利用頻度が所定回数未満の営業エリアに対して既にチャージされている金額情報を実質的に利用されている営業エリア毎に所定の配分でチャージするチャージ手段と、
を備えたことを特徴とするＩＣカード処理装置。
【請求項７】
複数社が管轄する複数営業エリアを利用可能で且つ営業エリア毎に金額情報がチャージされたＩＣカードに基づき改札処理を行なう自動改札装置であって、
前記ＩＣカードからのデータの読み取り、及び前記ＩＣカードに対するデータの書き込みを行なう読み書き手段と、
前記読み書き手段により前記ＩＣカードから読み取られるデータに基づき判明する各営業エリアの利用に応じた各営業エリアで必要な金額を、前記読み書き手段により前記ＩＣカードから読み取られる営業エリア毎にチャージされた金額情報に基づき精算する精算手段と、
前記精算手段による精算結果に基づき所定の改札処理を実行する改札手段と、
を備えたことを特徴とする自動改札装置。
【請求項８】
複数社が管轄する複数営業エリアを利用可能で且つ営業エリア毎に金額情報がチャージされたＩＣカードに基づき改札処理を行なう自動改札装置であって、
前記ＩＣカードからのデータの読み取り、及び前記ＩＣカードに対するデータの書き込みを行なう読み書き手段と、
前記読み書き手段により前記ＩＣカードから読み取られるデータに基づき判明する各営業エリアの利用に応じた各営業エリアで必要な金額を、前記読み書き手段により前記ＩＣカードから読み取られる営業エリア毎にチャージされた金額情報に基づき精算する精算手段と、
前記読み書き手段により前記ＩＣカードに対して利用履歴を書き込み、所定の改札処理を行なう改札手段と、
を備えたことを特徴とする自動改札装置。
【請求項９】
複数社が管轄する複数営業エリアを利用可能で且つ営業エリア毎に金額情報がチャージされたＩＣカードに基づき改札処理を行なう自動改札装置であって、
前記ＩＣカードからのデータの読み取り、及び前記ＩＣカードに対するデータの書き込みを行なう読み書き手段と、
前記読み書き手段により前記ＩＣカードから読み取られるデータに基づき判明する各営業エリアの利用に応じた各営業エリアで必要な金額を、前記読み書き手段により前記ＩＣカードから読み取られる営業エリア毎にチャージされた金額情報に基づき精算する第１の精算手段と、
前記第１の精算手段による精算処理において、所定の営業エリアで必要な金額を所定の営業エリア用にチャージされた金額情報だけで精算しきれない場合、暫定的に他の営業エリア用にチャージされた金額情報を利用して精算する第２の精算手段と、
前記第１及び第２の精算手段による精算結果に基づき所定の改札処理を実行する改札手段と、
を備えたことを特徴とする自動改札装置。
【請求項１０】
複数社が管轄する複数営業エリアを利用可能で且つ営業エリア毎に金額情報がチャージされたＩＣカードに基づき改札処理を行なう自動改札装置であって、
前記ＩＣカードからのデータの読み取り、及び前記ＩＣカードに対するデータの書き込みを行なう読み書き手段と、
前記読み書き手段により前記ＩＣカードから読み取られるデータに基づき判明する各営業エリアの利用に応じた各営業エリアで必要な金額を、前記読み書き手段により前記ＩＣカードから読み取られる営業エリア毎にチャージされた金額情報に基づき精算する精算手段と、
前記読み書き手段により前記ＩＣカードから読み取られる利用履歴情報に基づき今回の利用で所定区間の利用回数が所定回数に到達したことが判明したとき、この所定区間の利用で必要な金額を無料として前記精算手段による精算処理を実行させる精算処理制御手段と、
前記読み書き手段により前記ＩＣカードに対して、今回の利用で所定区間の利用回数が所定回数に到達したことを示す情報を含む利用履歴を書き込み、所定の改札処理を行なう改札手段と、
を備えたことを特徴とする自動改札装置。
【発明の詳細な説明】
【０００１】
【発明の属する技術分野】
この発明は、複数社が管轄する複数営業エリアを利用可能なＩＣカードに対して、所定の金額情報をチャージするＩＣカード処理装置に関する。また、この発明は、複数社が管轄する複数営業エリアを利用可能で金額情報がチャージされたＩＣカードに基づき改札処理を行なう自動改札装置に関する。
【０００２】
【従来の技術】
例えば、鉄道関係において、改札の省力化を目的として、駅構内への入場口或いは駅構内からの出場口には、自動改札装置が設置されている。交通機関を利用する利用者は、駅構内へ入場或いは駅構内から出場する際、又はある営業路線から別の営業路線へ乗り換える際、自動改札装置による改札処理を受ける。つまり、利用者は、自身が携帯する乗車券を自動改札装置に投入する。自動改札装置は、投入された乗車券を受け取り、乗車券に記録された乗車券情報（入場駅情報、有効料金情報）を読み取り、入場又は出場の改札可否を判定し、乗車券を返却又は回収する。自動改札装置は、乗車券情報の読み取り結果に基づき、運賃不足又は期限切れなどの理由から改札否と判定すると、ドアの開閉を制御して利用者を駅構内に入場させない、駅構内から出場させない、又は乗り換えを許可しないようにする。
【０００３】
さらに近年では、無線ＩＣカードに対応した無線対応の自動改札装置の普及により、急速にその利便性が向上している（特許文献１）。特に、定期券及びＳＦ（Ｓｔｏｒｅｄ  Ｆａｒｅ）の機能を兼ね備えた無線ＩＣカードに対して予め金額チャージしておき、この無線ＩＣカードを利用すれば、無線対応の自動改札装置の改札処理において必要に応じて自動精算を受けることが可能となる。つまり、定期区間を乗り越しても、精算機に並ぶ必要なく改札口を通過することができる。
【０００４】
【特許文献１】
特開２００１−９３００３号公報
【０００５】
【発明が解決しようとする課題】
また、上記した無線ＩＣカードは複数社での共通運用が可能となっている。即ち、１枚の無線ＩＣカードで、異なる鉄道会社の路線を乗り継ぎ、必要に応じて精算処理を受けることが可能となっている。しかしながら、現状、無線ＩＣカードの共通運用が可能となっているのは数社にとどまっている。この点で、利用者の利便性は必ずしも向上していない。
【０００６】
今後、無線ＩＣカードのさらなる各社共通化が進み、１枚の無線ＩＣカードで多数の鉄道会社の路線を利用できるシステムの構築が進むことが予想される。このようなシステムの構築に伴い、無線ＩＣカード利用に対応する売上の各社相互精算処理は避けられない。各社相互精算処理では膨大なデータの集計と入出金処理（相殺を含む）が発生し、各社にとって大きな負担となる。最悪、データの消失等の事故が発生した場合には、各社相互精算処理が不能に陥る可能性も有り得る。
【０００７】
本来、上記したようなシステムの構築により、鉄道会社側の有益性として、利用者による実際の利用に関係なく、予めまとまった金額を徴収できるという点が挙げられる。反面、異なる鉄道会社間で相互乗り入れ／連絡乗り継ぎがある場合には、負担の重い各社相互精算処理が必要となってしまう。各社相互精算処理を避けようとして、カードの利用範囲を単独一社の路線に限定してしまうと、利用者の利便性が損なわれてしまう。また、近年の乗車券のＩＣ化による磁気券の駆逐は、磁気回数券を消失させる結果にもなっていた。
【０００８】
この発明の目的は、上記問題点を解決するためになされたものであり、複数社が管轄する複数営業エリアを利用可能なＩＣカードの利用に伴う各社相互精算処理の負担を軽減することが可能なＩＣカード処理装置を提供することにある。また、この発明の目的は、複数社が管轄する複数営業エリアを利用可能なＩＣカードに基づく各社相互精算処理の負担を軽減するための精算処理が可能な自動改札装置を提供することにある。
【０００９】
【課題を解決するための手段】
上記課題を解決し目的を達成するために、この発明のＩＣカード処理装置及び自動改札装置は、以下のように構成されている。
【００１０】
（１）この発明は、複数社が管轄する複数営業エリアを利用可能なＩＣカードに対して、所定の金額情報をチャージするＩＣカード処理装置であって、前記ＩＣカードからのデータの読み取り、及び前記ＩＣカードに対するデータの書き込みを行なう読み書き手段と、前記読み書き手段により前記ＩＣカードに対して所定の金額情報をチャージするとき、営業エリア毎に所定の配分で金額情報をチャージするチャージ手段とを備えている。
【００１１】
（２）この発明は、複数社が管轄する複数営業エリアを利用可能で且つ営業エリア毎に金額情報がチャージされたＩＣカードに基づき改札処理を行なう自動改札装置であって、前記ＩＣカードからのデータの読み取り、及び前記ＩＣカードに対するデータの書き込みを行なう読み書き手段と、前記読み書き手段により前記ＩＣカードから読み取られるデータに基づき判明する各営業エリアの利用に応じた各営業エリアで必要な金額を、前記読み書き手段により前記ＩＣカードから読み取られる営業エリア毎にチャージされた金額情報に基づき精算する精算手段と、前記精算手段による精算結果に基づき所定の改札処理を実行する改札手段とを備えている。
【００１２】
【発明の実施の形態】
以下、この発明の実施の形態について図面を参照して説明する。
【００１３】
図１は、複数社の改札処理データを収集するシステムの概略構成を示す図である。ここでは、一例として、Ａ社、Ｂ社、及びＣ社の改札処理データを収集するシステムについて説明する。Ａ社、Ｂ社、及びＣ社の各社の改札システムは、基本的に同一構成であるとする。図１に示すように、Ａ社の改札システムは、ＩＣカード処理装置１、自動改札装置２、自動改札装置制御盤３、各社データ収集サーバ４により構成されている。つまり、各駅に設置される自動改札装置２は、自動改札装置制御盤３に接続されている。自動改札装置制御盤３は、各自動改札装置２を制御する。この自動改札装置制御盤３は、各社データ収集サーバ４に接続されている。さらに各駅に設置されるＩＣカード処理装置１も各社データ収集サーバ４に接続されている。各社データ収集サーバ４は、全社データ収集サーバ５に接続されている。
【００１４】
ＩＣカード処理装置１は、利用者からの代金の支払い（現金払い、口座からの引き落とし）に応じて、定期券としての機能を有するＩＣカード１０を発行したり、所定の金額情報がチャージされたＳＦ機能を有するＩＣカード１０を発行したり、定期券及びＳＦ機能を有するＩＣカード１０を発行したり、さらにはＩＣカード１０に対して所定の金額情報をチャージしたりする。この実施形態では、ＩＣカード１０は無線カードであるものとして説明するがこれに限定されるものではなく、ＩＣカード１０は無線カード以外のカードであってもよい。なお、ＩＣカード処理装置１によるＩＣカード１０に対する金額情報のチャージについては、後に詳しく説明する。
【００１５】
自動改札装置２は、磁気券及びＩＣカード１０に対応して改札処理を行なう。自動改札装置２は、磁気券を受け取った場合、磁気券に記録されている情報に基づき改札処理を行なう。自動改札装置２は、ＩＣカード１０と無線通信を行なった場合、ＩＣカードに記録されている情報に基づき、必要に応じて精算処理を行い改札処理を行なう。なお、自動改札装置２によるＩＣカードに対する精算処理及び改札処理については、後に詳しく説明する。
【００１６】
図２は、図１に示す自動改札装置の外観を示す斜視図であり、図３は、図１に示す自動改札装置の概略構成を示す機能ブロック図である。
【００１７】
この自動改札装置２は、通常、２台１組として設置され、両者の間に通行者が通行する通路が形成される。そして、この自動改札装置２は、磁気券及びＩＣカードの両方を処理できる。
【００１８】
図２に示すように、自動改札装置２の上面の一端部には、たとえば、有効期間や利用可能区間などの改札情報が磁気エンコード記録された乗車券（定期券、普通乗車券、回数券など）やＳＦカードなどの磁気券を受け取る投入口２０３が設けられ、他端部には、投入口２０３から投入された磁気券を返却する排出口２０４が設けられている。なお、投入口２０３には、必要に応じて開閉するシャッタが設けられている。排出口２０４の前方には、通行者や駅員などに対して各種案内を行なうための案内表示部２０６が設けられている。
【００１９】
投入口２０３の前方には、アンテナ２１６が設けられている。アンテナ２１６は、たとえば、ループ状アンテナなどで構成されていて、通行者によりかざされるＩＣカード１０と無線通信を行なう。これにより、アンテナ２１６は、ＩＣカード１０から送信されるデータを受信したり、ＩＣカード１０に対してデータを送信したりする。
【００２０】
自動改札装置２の側面の両端部には、通行者の通行を制御する開閉動作可能なドア２０７が設けられており、通行可否の判定結果に基づき、このドア２０７が開閉制御される。
【００２１】
さらに、自動改札装置２には、センサ取付体２０８が立設されている。センサ取付体２０８には、通行者を検知する複数の光学的なセンサ、すなわち、出口検知器２０９、２１０、及び中央通過検知器２１３が設けられている。また、自動改札装置２の本体にも、通行者を検知する複数の光学的なセンサ、すなわち、進入検知器２１１、２１２、及び中央通過検知器２１３が設けられている。
【００２２】
出口検知器２０９は、投入口２０３の部分を通過する通行者を検知し、出口検知器２１０は、案内表示部２０６の部分を通過する通行者を検知し、進入検知器２１２は、排出口２０４の部分を通過する通行者を検知し、進入検知器２１１は、アンテナ２１６の部分を通過する通行者を検知する。中央通過検知器２１３は、自動改札装置２０２の本体に一対、センサ取付体２０８に一対と、合計２対（４個）の検知器からなり、通路の中央部を通過する通行者を検知する。
【００２３】
センサ取付体２０８には、自動改札装置の動作状態（小児券の投入、無効券の投入や機器の異常など）を表示する表示灯２１４が設けられている。
【００２４】
図３に示すように、自動改札装置２は、ＣＰＵ２２０、メモリ２２２、乗車券受取機構２２３、乗車券搬送機構２２４、乗車券返却機構２２５、乗車券回収機構２２６、乗車券保留機構２２７、情報読取部２２８、情報記録部２３０、改札判定部２３２、通行検知部２３４、開閉制御部２３６、表示制御部２４０、表示灯駆動制御部２４２、精算処理部２４４、無線リーダ／ライタ２４６、伝送制御部２５０などを備えている。
【００２５】
ＣＰＵ２２０は、各部を制御し、改札処理に関する一連の動作を制御する。メモリ２２２は、ＣＰＵ２２０の動作制御プログラム、運賃情報、及び列車運行情報等を記憶したり、ＩＣカード１０又は磁気券から読み取った乗車情報等を一時記憶したりする。さらに、このメモリ２２２には、自動改札装置が設置された駅を特定するための情報も記憶している。乗車券受取機構２２３は、投入口２０３などで構成されており、一人の乗客により投入された一枚の磁気券を受け取る。或いは、乗車券受取機構２２３は、一人の乗客により投入された複数枚の磁気券を一括して受け取る。乗車券搬送機構２２４は、受け取られた磁気券を各部へ搬送する。乗車券返却機構２２５は、排出口２０４などで構成されており、受け取られた磁気券を返却する。乗車券回収機構２２６は、乗車券返却機構２２５により返却された磁気券を必要に応じて回収する。乗車券保留機構２２７は、回収された磁気券を保留する。情報読取部２２８は、磁気券から乗車情報を読み取る。情報記録部２３０は、磁気券に対して各種情報を磁気記録又は印刷記録する。改札判定部２３２は、磁気券又はＩＣカード１０から読み取られた情報に基づき通行の可否を判定する。
【００２６】
通行検知部２３４は、検知器２０９〜２１３からの検知出力を受け取り、利用者の通行状況を検知する。ドア開閉制御部２３６は、改札判定結果に基づき、ドア２０７の開閉を制御する。表示制御部２４０は、例えば改札判定結果に基づき表示部２０６の表示内容を制御する。表示灯駆動制御部２４２は、磁気券又はＩＣカード１０から読み取った情報に基づき表示灯２１４の駆動を制御する。例えば、小児券の投入、無効券の投入、機器の異常などの動作状態に応じて表示灯２１４の駆動を制御する。無線リーダ／ライタ２４６は、アンテナ２１６によりＩＣカード１０と交信し、ＩＣカード１０に記録された情報を読み取ったり、ＩＣカード１０に対して情報を記録したりする。精算処理部２４４は、必要に応じてＩＣカード１０から読み取られる金額情報に基づき精算処理を行なう。この精算処理については、後に詳しく説明する。伝送制御部２５０は、図１に示す自動改札装置監視盤３と交信し、各種情報を交換する。
【００２７】
図４は、図１に示すＩＣカード処理装置の外観を示す斜視図であり、図５は、図１に示すＩＣカード処理装置の概略構成を示す機能ブロック図である。この実施形態では、券売機の機能を兼ね備えたＩＣカード処理装置１について説明する。
【００２８】
図４に示すように、ＩＣカード処理装置１は、表示部１０２、紙幣取り扱い口１０３、券取り扱い口１０４、硬貨投入口１０５、乗車券発行口１０６、硬貨排出口１０７、及び受け皿１０８を備えている。
【００２９】
表示部１０２は、図５に示すＬＣＤ表示部１２１を備えており、ＩＣカード処理及び乗車券発行処理に応じた画面が表示される。さらに、ＬＣＤ表示部１２１は図５に示すタッチパネル部１２２を備えている。紙幣取り扱い口１０３は、顧客により挿入される紙幣を受け取ったり、顧客に対してつり銭としての紙幣を返却したりする。券取り扱い口１０４は、顧客により挿入されるＩＣカード１０、定期券、又はクレジットカードなどを受け取ったり、顧客に対して受け取ったＩＣカード１０、定期券、又はクレジットカードなどを返却したりする。硬貨投入口１０５は、顧客により投入される硬貨を受け入れる。乗車券発行口１０６は、顧客による入力操作に応じて発券される乗車券を排出する。硬貨排出口１０７は、顧客に対してつり銭としての硬貨を返却する。受け皿１０８は、硬貨排出口１０７から返却されるつり銭としての硬貨を受け止める。
【００３０】
続いて、図５を参照して、ＩＣカード処理装置１について説明する。図５に示すように、ＩＣカード処理装置１は、主制御部１００を備えており、この主制御部１００によりＩＣカード処理及び乗車券発行処理が制御される。主制御部１００には、ユニット伝送部１１０、接客部１２０、係員パネル部１３０、記録部１４０、及び上位伝送部１５０などが接続されている。
【００３１】
ユニット伝送部１１０には、発券ユニット１１１、カード処理ユニット１１２、カードチャージユニット１１２ａ、紙幣処理ユニット１１３、及び硬貨処理ユニット１１４などが接続されている。接客部１２０には、ＬＣＤ表示部１２１、タッチパネル部１２２、その他表示・スイッチ部１２４などが接続されている。係員パネル部１３０には、ＬＣＤ表示部１３１、タッチパネル部１３２、その他表示・スイッチ部１３３などが接続されている。上位伝送部１５０は、図１に示す各社データ収集サーバ４と交信し、各社データ収集サーバ４に対して売上等のデータを送信する。
【００３２】
カード処理ユニット１１２は、券取り扱い口１０４を介して投入されたＩＣカード１０と交信し、ＩＣカード１０に記録された情報を読み取ったり、ＩＣカード１０に対して情報を記録したりする。また、カード処理ユニット１１２は、利用者からの代金の支払い（現金払い、クレジットカード払い）に応じて、定期券としての機能を有するＩＣカード１０を発行したり、所定の金額情報がチャージされたＳＦ機能を有するＩＣカード１０を発行したり、定期券及びＳＦ機能を有するＩＣカード１０を発行したりする。
【００３３】
カードチャージユニット１１２ａは、利用者からのチャージ金の支払い（現金払い、クレジットカード払い）に応じて、複数社が管轄する営業エリア毎に所定の配分で金額情報をチャージする。ＩＣカード処理装置１の上位伝送部１５０は、ＩＣカード１０に対するチャージに関するデータ（売上等のデータ）を各社データ収集サーバ４に送信する。チャージに関するデータとは、どの会社の営業エリア用としてどれだけの金額がチャージされたかなどのデータである。つまり、各社の売上データである。上位伝送部１５０に送信されたチャージに関するデータは、さらに全社データ収集サーバ５に送信される。つまり、全社データ収集サーバでは、どの会社の営業エリア用としてどれだけの金額がチャージされたかを一括管理することができる。つまり、各社の売上データを一括管理することができる。
【００３４】
以下、カードチャージユニット１１２ａによる金額チャージの詳細について説明する。
【００３５】
図６は、カードチャージユニットによる金額チャージの第１例を示す図である。複数社が管轄する複数営業エリア（Ａ社営業エリア、Ｂ社営業エリア、Ｃ社営業エリア…）を利用可能なＩＣカードに対して所定の金額情報をチャージするとき、図６に示すように営業エリア毎に均等割りした配分で金額情報をチャージする。例えば、ＩＣカード１０に対して営業エリア毎にチャージエリア（Ａ社チャージエリア、Ｂ社チャージエリア、Ｃ社チャージエリア…）を持たせ、各チャージエリアに均等割した配分で金額情報をチャージする。具体例を挙げると、表示部１０２のタッチパネル部１２２を介して利用者によりＩＣカードに対して９００円のチャージが指示されると、カードチャージユニット１１２ａはＩＣカード１０のＡ社チャージエリアに３００円、Ｂ社チャージエリアに３００円、Ｃ社チャージエリアに３００円をチャージする。
【００３６】
図７は、カードチャージユニットによる金額チャージの第２例を示す図である。複数社が管轄する複数営業エリア（Ａ社営業エリア、Ｂ社営業エリア、Ｃ社営業エリア…）を利用可能なＩＣカードに対して所定の金額情報をチャージするとき、図７に示すようにＩＣカード処理装置１の設置場所を含む営業エリアに対して優先的な配分で金額情報をチャージする。例えば、ＩＣカード１０に対して営業エリア毎にチャージエリア（Ａ社チャージエリア、Ｂ社チャージエリア、Ｃ社チャージエリア…）を持たせ、Ａ社の駅に設置されたＩＣカード処理装置１により金額チャージする場合には、Ａ社チャージエリアに対して優先的な配分で金額情報をチャージする。具体例を挙げると、表示部１０２のタッチパネル部１２２を介して利用者によりＩＣカードに対して９００円のチャージが指示されると、カードチャージユニット１１２ａはＩＣカード１０のＡ社チャージエリアに５００円、Ｂ社チャージエリアに２００円、Ｃ社チャージエリアに２００円をチャージする。
【００３７】
図８は、カードチャージユニットによる金額チャージの第３例を示す図である。複数社が管轄する複数営業エリア（Ａ社営業エリア、Ｂ社営業エリア、Ｃ社営業エリア…）を利用可能なＩＣカードに対して所定の金額情報をチャージするとき、ＩＣカード１０から定期乗車区間に関する情報を読み取り、図８に示すように、この定期乗車区間が含まれる営業エリアに対して優先的な配分で金額情報をチャージする。例えば、ＩＣカード１０に対して営業エリア毎にチャージエリア（Ａ社チャージエリア、Ｂ社チャージエリア、Ｃ社チャージエリア…）を持たせ、ＩＣカード１０の定期乗車区間にＢ社営業エリアが含まれる場合には、Ｂ社チャージエリアに対して優先的な配分で金額情報をチャージする。具体例を挙げると、表示部１０２のタッチパネル部１２２を介して利用者によりＩＣカードに対して９００円のチャージが指示されると、カードチャージユニット１１２ａはＩＣカード１０のＡ社チャージエリアに２００円、Ｂ社チャージエリアに５００円、Ｃ社チャージエリアに２００円をチャージする。
【００３８】
図９は、カードチャージユニットによる金額チャージの第４例を示す図である。図１０は、カードチャージユニットによる金額チャージの第５例を示す図である。図１１は、カードチャージユニットによる金額チャージの第６例を示す図である。複数社が管轄する複数営業エリア（Ａ社営業エリア、Ｂ社営業エリア、Ｃ社営業エリア…）を利用可能なＩＣカードに対して所定の金額情報をチャージするとき、ＩＣカード１０から利用履歴情報を読み取り、図９、図１０、図１１に示すように、この利用履歴情報に基づき各営業エリアに対してチャージする金額情報の配分を決定し、各営業エリアに対して決定された配分の金額情報をチャージする。例えば、ＩＣカード１０に対して営業エリア毎にチャージエリア（Ａ社チャージエリア、Ｂ社チャージエリア、Ｃ社チャージエリア…）を持たせ、ＩＣカード１０の利用履歴情報に基づき各社チャージエリアに対してチャージする金額情報の配分を決定し、各社チャージエリアに対して決定された配分の金額情報をチャージする。
【００３９】
ここで、金額チャージの第４例、第５例、及び第６例について、詳細に説明する。
【００４０】
金額チャージの第４例は、図９に示すように、過去ｎヶ月の利用履歴情報に基づき、各営業エリアに対してチャージする金額情報の配分を決定し、各営業エリアに対して決定された配分の金額情報をチャージする。例えば、表示部１０２のタッチパネル部１２２を介して利用者によりＩＣカードに対して１０００円のチャージが指示され、過去ｎヶ月の利用履歴情報がＡ社の利用：Ｂ社の利用：Ｃ社の利用＝２：３：５を示している場合には、カードチャージユニット１１２ａはＩＣカード１０のＡ社チャージエリアに２００円、Ｂ社チャージエリアに３００円、Ｃ社チャージエリアに５００円をチャージする。
【００４１】
金額チャージの第５例は、図１０に示すように、過去の全利用履歴情報に基づき、各営業エリアに対してチャージする金額情報の配分を決定し、各営業エリアに対して決定された配分の金額情報をチャージする。例えば、表示部１０２のタッチパネル部１２２を介して利用者によりＩＣカードに対して６００円のチャージが指示され、過去の全利用履歴情報がＡ社の利用：Ｂ社の利用：Ｃ社の利用＝１：２：３を示している場合には、カードチャージユニット１１２ａはＩＣカード１０のＡ社チャージエリアに１００円、Ｂ社チャージエリアに２００円、Ｃ社チャージエリアに３００円をチャージする。
【００４２】
金額チャージの第６例は、図１１に示すように、過去の全利用履歴情報のうち、過去ｎヶ月の利用履歴情報にＸ割、過去（ｎ＋１）ヶ月〜過去（ｎ＋１＋ｍ）ヶ月の利用履歴情報に（Ｘ−Ｙ）割、過去（ｎ＋１＋ｍ＋１）ヶ月以前の利用履歴情報に（Ｘ−Ｙ−Ｚ）割の重み付けをして、これら重み付けされた利用履歴情報に基づき、各営業エリアに対してチャージする金額情報の配分を決定し、各営業エリアに対して決定された配分の金額情報をチャージする。例えば、表示部１０２のタッチパネル部１２２を介して利用者によりＩＣカードに対して６００円のチャージが指示され、過去のｎヶ月の利用履歴情報に６割、過去（ｎ＋１）ヶ月〜過去（ｎ＋１＋ｍ）ヶ月の利用履歴情報に３割割、過去（ｎ＋１＋ｍ＋１）ヶ月以前の利用履歴情報に１割の重み付けをした結果、Ａ社の利用：Ｂ社の利用：Ｃ社の利用＝１：３：２を示す場合には、カードチャージユニット１１２ａはＩＣカード１０のＡ社チャージエリアに１００円、Ｂ社チャージエリアに３００円、Ｃ社チャージエリアに２００円をチャージする。
【００４３】
また、金額チャージの第７例として、ＩＣカード１０に対して所定の金額情報をチャージするとき、ＩＣカード１０から読み取られる利用履歴情報から判明する所定期間内における利用頻度が所定回数以上の実質的に利用されている営業エリア毎に所定の配分で金額情報をチャージするようにしてもよい。このとき、所定期間内における利用頻度が所定回数未満の営業エリアに対して既にチャージされている金額情報があれば、この利用頻度が所定回数未満の営業エリアに対してチャージされている金額情報を実質的に利用されている営業エリア毎に所定の配分でチャージするようにしてもよい。例えば、利用履歴情報から、Ａ社営業エリアとＢ社営業エリアの３ヶ月以内の利用頻度が１回以上であることが判明したとき、これらＡ社営業エリアとＢ社営業エリアが実質的に利用されている営業エリアであると仮定する。これに対して、Ｃ社営業エリアの３ヶ月以内の利用頻度が１回未満、つまり０回であることが判明したとき、このＣ社営業エリアが実質的に利用されていない営業エリアであると仮定する。この状態で、表示部１０２のタッチパネル部１２２を介して利用者によりＩＣカードに対して１０００円のチャージが指示されると、カードチャージユニット１１２ａはＩＣカード１０のＡ社チャージエリアに５００円、Ｂ社チャージエリアに５００円をチャージし、Ｃ社チャージエリアにはチャージしない。このとき、Ｃ社チャージエリアに４００円のチャージ残額があれば、このＣ社チャージエリアの４００円を２００円ずつ、Ａ社チャージエリアとＢ社チャージエリアにチャージする。さらに、上記したような利用頻度の低いチャージエリアを削除するようにしてもよい。
【００４４】
上記説明したように、ＩＣカード処理装置１によりＩＣカード１０に対して金額情報がチャージされると、図１２に示すように、ＩＣカード処理装置１は各社データ収集サーバ４に対して金額情報のチャージに関するデータを送信する。さらに、各社データ収集サーバ４は、全社データ収集サーバ５に対して金額情報のチャージに関するデータを送信する。
【００４５】
なお、金額チャージの第４例〜第７例は利用履歴情報が必要となるので、ＩＣカードを始めて利用する場合には適用できない。つまり、初回チャージには、金額チャージの第１例〜第３例が適用される。２回目以降のチャージには、第４例〜第７例が適用されるものとする。
【００４６】
次に、上記説明した金額チャージを受けたＩＣカード１０を利用した自動改札装置２の精算処理及び改札処理について説明する。自動改札装置２は、アンテナ１７及び無線リーダ／ライタ２４６により、ＩＣカード１０に記録された情報を読み取り、またＩＣカード１０に対して所定の情報を書き込む。精算処理部２４４は、ＩＣカードから読み取られた入出場記録などの情報に基づき、必要に応じて各営業エリアの利用に応じた各営業エリアで必要な金額を精算する。自動改札装置２は、各社データ収集サーバ４に対して精算データを送信する。さらに、各社データ収集サーバ４は、全社データ収集サーバ５に対して精算データを送信する。
【００４７】
例えば、ＩＣカード１０を利用して、Ａ社のａ駅から入場してＡ社の営業エリア、Ｂ社の営業エリアを経由して、Ｃ社のｃ駅で出場するケースについて説明する。Ａ社営業エリアの乗車分の運賃が２００円で、Ｂ社営業エリアの乗車分の運賃が１００円で、Ｃ社営業エリアの乗車分の運賃が３００円であると仮定する。なお、Ａ社のａ駅からＣ社のｃ駅までの区間は、ＩＣカード１０の定期区間外であるとする。つまり、Ａ社のａ駅からＣ社のｃ駅までの区間の運賃の支払いが必要であるとする。
【００４８】
Ａ社のａ駅で入場するとき、ＩＣカード１０に対して入場日時とＡ社のａ駅で入場したことを示す入場情報が記録される。このとき、ＩＣカード１０のＡ社チャージエリアから初乗り運賃を予め差し引くようにしてもよい。
【００４９】
Ｃ社のｃ駅で出場するときには、ＩＣカード１０から入場情報が読み取られ、Ａ社のａ駅で入場したことが判明する。このとき、Ａ社のａ駅からＣ社のｃ駅までの運賃が算出される。つまり、Ａ社営業エリアの乗車分の運賃が２００円で、Ｂ社営業エリアの乗車分の運賃が１００円で、Ｃ社営業エリアの乗車分の運賃が３００円であることが判明する。ＩＣカード１０のＡ社チャージエリアに３００円チャージされていれば、この３００円からＡ社営業エリアの乗車分の運賃が２００円が差し引かれる。同様に、ＩＣカード１０のＢ社チャージエリアに３００円チャージされていれば、この３００円からＢ社営業エリアの乗車分の運賃が１００円が差し引かれる。同様に、ＩＣカード１０のＣ社チャージエリアに３００円チャージされていれば、この３００円からＣ社営業エリアの乗車分の運賃が３００円が差し引かれる。なお、Ａ社のａ駅を入場するときに、ＩＣカード１０のＡ社チャージエリアから初乗り運賃を差し引いた場合は、既に差し引かれた初乗り運賃分を考慮して精算処理がなされる。
【００５０】
上記精算処理の結果、図１２に示すように、ＩＣカード１０の各社チャージエリアの残額が書き換えられ、Ａ社チャージエリアの残額は１００円、Ｂ社チャージエリアの残額は２００円、Ｃ社チャージエリアの残額は０円となる。さらに、ＩＣカード１０の各社利用履歴エリアに利用履歴として利用額が書き込まれ、Ａ社履歴エリアの利用額は２００円、Ｂ社履歴エリアの利用額は１００円、Ｃ社履歴エリアの利用額は３００円となる。
【００５１】
さらに、Ｃ社のｃ駅での出場時には、ＩＣカード１０に対して出場日時とＢ社のｂ駅で出場したことを示す出場情報が記録される。つまり、入場情報と出場情報をあわせて、利用履歴情報とすることができる。
【００５２】
上記したように、Ｃ社のｃ駅での出場時に、Ａ社営業エリアの乗車分の運賃、Ｂ社営業エリアの乗車分の運賃、及びＣ社営業エリアの乗車分の運賃をＩＣカードにチャージされた金額から差し引くことができれば、改札判定部２１２により出場が許可される。
【００５３】
続いて、上記ケースにおいて、Ａ社営業エリアの乗車分の運賃が４００円であった場合の精算処理について説明する。つまり、Ａ営業エリアの乗車分の運賃が、Ａ社チャージエリアの残額を上回っているときの精算処理について説明する。このとき、ＩＣカードの全残額が、運賃総額を上回っていなければ、ＩＣカードに対して追加で金額チャージをしないと、自動改札装置２で精算処理を受けて出場することはできない。上記ケースでは、ＩＣカード１０の全残額が、Ａ社チャージエリア３００円、Ｂ社チャージエリア３００円、Ｃ社チャージエリア３００の合計９００円である。これに対して、運賃総額は、Ａ営業エリアの乗車分の運賃４００とＢ営業エリアの乗車分の運賃１００円とＣ営業エリアの乗車分の運賃３００円の合計８００円である。つまり、ＩＣカードの全残額が、運賃総額を上回っている。
【００５４】
このとき、Ａ社営業エリアの乗車分の運賃４００円のうち３００円を本来のＡ社チャージエリアの残額３００円から差し引き、残り１００円をＢ社チャージエリアの残額から暫定的に差し引く。
【００５５】
上記した暫定的な精算処理は、月極め／期末で各社相互精算処理により相殺するか、或いは次回のＩＣカード１０に対するチャージ処理の際に相殺する。
【００５６】
続いて、図１３を参照して、ＩＣカード１０による回数券相当の運用について説明する。自動改札装置２の改札判定部２３２は、ＩＣカード１０から読み取られる利用履歴情報に基づき、今回の利用で所定区間の利用回数が所定回数に到達したと判断すると、この所定区間の利用で必要な金額を無料と判断し、改札を許可する。これに伴い、精算処理部２４４は、今回の所定区間の利用で必要な金額をＩＣカード１０から引き去らない。さらに、無線リーダ／ライタ２４６は、ＩＣカード１０に対して今回の利用で所定区間の利用回数が所定回数に到達したことを示す情報を書き込む。例えば、無線リーダ／ライタ２４６は、ＩＣカード１０に対して所定区間の利用回数０を書き込む。
【００５７】
さらに、上記したＩＣカード１０による回数券相当の運用についてより具体的に説明する。図１３に示すように、例えば、ＩＣカード１０に、利用履歴情報として、乗車区間（ａ−ｂ）と利用回数（ｎ回）の情報を持たせる。乗車区間の情報は、ＩＣカード１０の利用に伴い自動的に設定されてもよいし、利用者がＩＣカード処理装置１により手動で設定するようにしてもよい。所定区間を利用する度に、所定区間の利用回数がカウントアップされる。例えば、所定区間の利用回数が１１回になると、１１回目の利用は無料扱いとされ、所定区間の利用回数が０にリセットされる。
【００５８】
以上説明したように、この発明のＩＣカード処理装置及び自動改札装置によれば、下記の作用効果を得ることができる。
（１）利用者が所定の金額情報をＩＣカードにチャージするとき、利用者が意識することなく、ＩＣカードに対して予め営業エリア毎に所定の配分で金額情報がチャージされる。これにより、後の各社相互精算処理の負担を軽減することができる。
（２）利用者が所定の金額情報をＩＣカードにチャージするとき、利用者が意識することなく、ＩＣカードに対して利用を予測して営業エリア毎に所定の配分で金額情報がチャージされる。これにより、チャージの時点で各社売上を予測できる。その結果、チャージの時点の売上金と実際の売上金との乖離率が小さくなり、事業経営の健全化を図ることができる。
（３）ＩＣカードの利用履歴情報に基づき回数券相当（割引）の運用が可能となる。ＩＣカードの利用に応じて自動的に区間が設定される運用とすれば、利用者は意識することなく回数券相当の恩恵を受けることができる。
【００５９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００６０】
【発明の効果】
この発明によれば、複数社が管轄する複数営業エリアを利用可能なＩＣカードの利用に伴う各社相互精算処理の負担を軽減することが可能なＩＣカード処理装置を提供できる。また、この発明によれば、複数社が管轄する複数営業エリアを利用可能なＩＣカードに基づく各社相互精算処理の負担を軽減するための精算処理が可能な自動改札装置を提供できる。
【図面の簡単な説明】
【図１】複数社の改札処理データを収集するシステムの概略構成を示す図である。
【図２】自動改札装置の外観を示す斜視図である。
【図３】自動改札装置の概略構成を示す機能ブロック図である。
【図４】ＩＣカード処理装置の外観を示す斜視図である。
【図５】ＩＣカード処理装置の概略構成を示す機能ブロック図である。
【図６】カードチャージユニットによる金額チャージの第１例を示す図である。
【図７】カードチャージユニットによる金額チャージの第２例を示す図である。
【図８】カードチャージユニットによる金額チャージの第３例を示す図である。
【図９】カードチャージユニットによる金額チャージの第４例を示す図である。
【図１０】カードチャージユニットによる金額チャージの第５例を示す図である。
【図１１】カードチャージユニットによる金額チャージの第６例を示す図である。
【図１２】金額チャージ時から精算処理までのＩＣカード中のデータ（チャージ金額、利用履歴情報）の変遷の一例を示す図である。
【図１３】ＩＣカードの回数券相当の運用を説明するための図である。
【符号の説明】
１…ＩＣカード処理装置、２…自動改札装置、３…自動改札装置制御盤、４…各社データ収集サーバ、５…全社データ収集サーバ、１０…ＩＣカード、カード処理ユニット１１２、カードチャージユニット１１２ａ、２３２…改札判定部、２４４…精算処理部、２４６…無線リーダ／ライタ
【図１】
2004334309.tif 000003
【図２】
2004334309.tif 000004
【図３】
2004334309.tif 000005
【図４】
2004334309.tif 000006
【図５】
2004334309.tif 000007
【図６】
2004334309.tif 000008
【図７】
2004334309.tif 000009
【図８】
2004334309.tif 000010
【図９】
2004334309.tif 000011
【図１０】
2004334309.tif 000012
【図１１】
2004334309.tif 000013
【図１２】
2004334309.tif 000014
【図１３】
2004334309.tif 000015